(57)【要約】本発明は、少なくとも１つのスレーブ端末と、該スレーブ端末に接続され、少なくとも１つのスレーブ端末に対し、前記ネットワークに組み込まれるべき少なくとも１つの他の端末を求めて検索するように要求を用いて命令するように備えられるマスタ端末とを有するネットワークに関する。要求を受信した後に、組み込まれていない端末が、応答を前記要求するスレーブ端末に伝送して、前記要求するスレーブ端末が、前記応答を前記マスタ端末へ転送する。
2006513623.tif 000002
【特許請求の範囲】
【請求項１】
少なくとも１つのスレーブ端末と、該スレーブ端末に接続され、少なくとも１つのスレーブ端末に対し、前記ネットワークに組み込まれるべき少なくとも１つの他の端末を求めて検索する要求を発行するように備えられるマスタ端末とを有するネットワークであって、組み込まれていない端末が、要求を受信した後に前記要求するスレーブ端末に応答を伝送するように備えられ、前記要求するスレーブ端末が、前記応答を前記マスタ端末へ転送するように備えられる、ネットワーク。
【請求項２】
請求項１に記載のネットワークにおいて、これまでに組み込まれていない端末の応答を受信した後に、前記マスタ端末が前記端末への接続を特定の条件下に設定するように備えられることを特徴とする、ネットワーク。
【請求項３】
請求項２に記載のネットワークにおいて、前記スレーブ端末が特別リストに含まれない場合、前記マスタ端末が端末を前記ネットワークにおいてスレーブ端末として組み込むように備えられることを特徴とする、ネットワーク。
【請求項４】
請求項１に記載のネットワークにおいて、前記ネットワークに組み込まれたスレーブ端末が、該スレーブ端末が別の端末からの要求に対する応答を伝送する状態に変化するように備えられていないことを特徴とする、ネットワーク。
【請求項５】
請求項１に記載のネットワークにおいて、端末が、Ｂｌｕｅｔｏｏｔｈ規格に従って動作する第１ソフトウェア成分と、前記第１ソフトウェア成分を制御する第２ソフトウェア成分とを有し、前記第２ソフトウェア成分が、第３アプリケーション指向ソフトウェアの命令を変換するように備えられること及び、前記第２ソフトウェア成分が端末を組み込むように備えられることを特徴とする、ネットワーク。
【請求項６】
請求項１に記載のネットワークにおいて、前記マスタ端末が、通信に関わっていないただ１つのスレーブ端末のみに要求を発行するように備えられることを特徴とする、ネットワーク。
【請求項７】
ネットワークにおいてスレーブ又はマスタ端末としての組み込みに関して備えられる端末であって、当該端末が、少なくとも１つのスレーブ端末に、前記ネットワークへ組み込まれるべき少なくとも１つの他の端末を求めて検索するように要求を用いて命令するマスタ端末として備えられ、当該端末が、該要求するスレーブ端末への応答の伝送に関する要求を受信した後に、組み込まれていない端末として備えられ、当該端末が、前記応答を前記マスタ端末へ転送する要求するスレーブ端末として備えられるような、端末。
【発明の詳細な説明】
【技術分野】
【０００１】
本発明は、少なくとも１つのスレーブ端末及び前記スレーブ端末に接続されるマスタ端末を有するネットワークに関する。例えば、斯様なネットワークは、Ｂｌｕｅｔｏｏｔｈ規格に従って動作する端末を有し得る。
【背景技術】
【０００２】
Ｂｌｕｅｔｏｏｔｈ規格は、近距離における広範囲の種類の端末の無線通信を可能にするために元々開発された。間もなくして、Ｂｌｕｅｔｏｏｔｈ端末の相互接続、すなわちいわゆるアドホック・ネットワークの作成に関する要求が生じた。しかし、この接続において、Ｂｌｕｅｔｏｏｔｈ仕様が、相互接続に関して何の規定も設けていなかったので、複数の加入者を有するＢｌｕｅｔｏｏｔｈネットワークがいかに素早く且つ自動的に形成されるかに関しての問題が生じる。例えば、「Ｂｌｕｅｔｏｏｔｈ  ＳＩＧ，  ＰＡＮ  Ｗｏｒｋｉｎｇ  Ｇｒｏｕｐ，  Ｐｅｒｓｏｎａｌ  Ａｒｅａ  Ｎｅｔｗｏｒｋｉｎｇ  Ｐｒｏｆｉｌｅ，  Ｖｅｒｓｉｏｎ  １．０，  Ｊｕｌｙ  ２３，  ２００２，  ｐａｇｅｓ  １０  ｔｏ  １２」という文書は、ネットワークがＢｌｕｅｔｏｏｔｈ規格の下でいかに形成されるべきかを記載している。この文書は、ネットワーク形成は、手動でのみ行うことを明示しており、すなわち、端末が自動的にネットワークに組み込まれ得、例えば２つの接続された端末への接続も作成することが可能であるような態様に関しては、何の提案もされていない。
【発明の開示】
【発明が解決しようとする課題】
【０００３】
本発明の目的は、端末の組み込みを自動的に可能にするネットワークを提供することである。
【課題を解決するための手段】
【０００４】
この目的は、冒頭に述べられた種類のネットワークを用いて以下の対策により達成される。
【０００５】
ネットワークは、少なくとも１つのスレーブ端末と、前記スレーブ端末に接続され、少なくとも１つのスレーブ端末へ前記ネットワークに組み込まれるべき少なくとも１つの他の端末を検索する要求を発行するのに備えられるマスタ端末とを有し、組み込まれていない端末は、要求を受信した後に応答を前記要求するスレーブ端末へ伝送するのに備えられ、前記要求するスレーブ端末は、前記応答を前記マスタ端末に転送するのに備えられる。
【０００６】
本発明に従うと、ネットワークに組み込まれていない端末へ要求を発信するのに用いられるのは、マスタ端末ではなく、マスタ端末によって命令されるスレーブ端末である。それにより、マスタ端末は、自身をネットワークにおける通信に大きく関わらせることが可能になる。端末がスレーブ端末の要求へ応答した後、この応答は、マスタ端末へ転送され、その後、請求項２に記載のように、前記マスタ端末は、前記端末へのコール（ｃａｌｌ）の設定を特定の条件の下に開始する。例えば、１つ条件は、端末が該ネットワークに以前に接続したことがないということであり得る。これらの条件は、請求項３において明示される、マスタ端末によって管理される特別リスト（ブラックリスト）を用いて確認され得る。
【０００７】
更に、請求項４は、本発明に従い、スレーブ端末は、要求のみを実行し、別の端末へ要求に対する応答を送信しないことを提供する。したがって、スレーブ端末は、他の端末によって検出され得ない。このことは、ネットワークに既に属している端末のメンバが再び発見されることを防ぐ。
【０００８】
本発明に従うネットワークは、Ｂｌｕｅｔｏｏｔｈ規格に従って動作する端末により形成され得る。このために備えられるソフトウェア成分の構成は、請求項５に記載される。
【０００９】
ネットワークにおける通信を不必要に妨げないように、マスタ端末は、通信に関わっていない単一のスレーブ端末のみを１つの要求で命令するように備えられる。
【００１０】
また本発明は、ネットワークにおいてスレーブ端末又はマスタ端末としての組み込みのために備えられる端末にも関する。
【００１１】
本発明のこれら及び他の態様は、以下に記載の実施例から明らかであり、これら実施例を参照して説明される。
【発明を実施するための最良の形態】
【００１２】
Ｂｌｕｅｔｏｏｔｈは、全ての想定される端末の種類の間においてのデータ交換を可能にすることを目的とされる無線通信に関する通信規格である。ノートブックＰＣ、管理端末、携帯電話又は計算機の周辺応用機器であろうと、全てのものは、Ｂｌｕｅｔｏｏｔｈを介して相互に通信する能力を得ることとされる。Ｂｌｕｅｔｏｏｔｈネットワークにおける端末は、７９個のチャネルにおいて動作し、各々のチャネルは、２．４５ＧＨｚ周波数帯において１ＭＨｚの帯域を有する。通信に関して絶えず用いられるのは全く同一のチャネルではなく、周波数は、他の機器との干渉を排除するために１秒ごとに１６００回変更される（周波数ホッピング）。このことが必要なのは、用いられる周波数帯が、自由に使用可能ではないからである。有用なデータは、アプリケーション必要条件を満たすように、パケット指向の形式で運ばれ、様々なパケットの種類が定義される。これらパケットの種類は、同期型及び非同期型動作に準じて異なり、ヘッダにおけるエントリによって識別される。
【００１３】
一方で、Ｂｌｕｅｔｏｏｔｈ機器の必須特性は、周波数変更の場合においてクロック・レートを設定する個別のクロック・レート及び、一義的なＢｌｕｅｔｏｏｔｈ端末アドレス（Ｂｌｕｅｔｏｏｔｈ装置アドレス）である。そして、これは、ホッピング・シーケンスにおいて様々な周波数を規定する、端末の同一性を生成する。
【００１４】
２つのＢｌｕｅｔｏｏｔｈ端末の接続において、１つは、マスタ端末の役目を担い、もう１つは、スレーブ端末の役目を担う。この接続において、既定されたマスタ又はスレーブ端末のようなものは存在せず、役割分担は、コールを設定する場合に動的に行うことを特記されるべきである。マスタ端末は、スレーブ端末に関して、ホッピング周波数、すなわち周波数間の「ジャンプ」を強制的に決定し、伝送権利を配分する。
【００１５】
コールを設定する場合、２つの段階が経られる。第１段階は、照会段階（ｉｎｑｕｉｒｙ・ｐｈａｓｅ）として示され、何の情報項目も未だ入手可能でなく未だ発見されていない端末が検索されるべき場合に用いられる。接続がない限り、端末は、照会（要求）状態と照会スキャン（コールを検索する）状態との間を絶え間なく交替する。照会状態において、端末は、３２個の周波数間をジャンプし、端末の要求を送信する。照会スキャン状態において、機器も同様に、３２個の周波数間をジャンプし、照会メッセージを検索する。照会スキャン状態の端末が、斯様な要求を受信する場合、端末は、端末のアドレス及び端末のクロック・レートを伝送することによって応答し、通信が開始し得る。
【００１６】
コールを設定する第２段階は、ページング（ｐａｇｉｎｇ）段階として示される。この段階において、１つの端末はページング（コール）状態に変化し、もう１つの端末はページスキャン（コールを検索する）状態に変化する。この接続において、役割分担は、要求する端末がマスタ端末になり、もう１つの端末がスレーブ端末になるような形式で規定される。前提条件は、スレーブ端末のＢｌｕｅｔｏｏｔｈ端末アドレスが、マスタ端末に既知であることである。スレーブ端末のアドレスに加えて、スレーブ端末のクロック・レートもマスタ端末に対し入手可能である場合、ページング段階は、促進され得る。マスタ端末は、マスタ端末自身のクロック・レート及びホッピング・シーケンスをスレーブ端末に伝送し、スレーブ端末にこれらを採り入れるように命令する。その後、スレーブ端末は、マスタ端末と同期し、その結果マスタ端末と通信し得る。
【００１７】
個々の端末間において伝送されるのは、有用なデータに加えて、例えば伝送器及び受信器アドレス、伝送オプション、同期情報項目及び随意的なセキュリティ情報項目並びに追加的な冗長性のような、追加的な情報項目も含むデータ・パケットである。斯様なパケットは、７２ビット・アクセス符号、５４ビット・ヘッダ及び０〜２７４５ビットの長さを有する可変有用データ・フィールドも有する。照会段階において、例えば、端末のアドレスを含むＩＤパケットが用いられる。更なるパケットは、ＦＨＳ（周波数ホッピング同期）であり、該ＦＨＳを用いて、接続を設定する場合に、とりわけクロック・レート情報項目、端末アドレス、ホッピング・シーケンスの段階及び「サービスのクラス」（機器がピコネットに含まれる種類）の指定が、伝送される。
【００１８】
Ｂｌｕｅｔｏｏｔｈネットワークは、ポイント・ツー・ポイント、ピコネット及びスカッタネットのトポロジで実装され得る。前記ネットワーク・トポロジは、多様な想定し得る応用の可能性を広げる。ピコネットは、マスタ端末及び７個までの有効なスレーブ端末を有する。マスタは、原理的に、いくつかのスレーブ端末をある種のスリープ・モードにすることによって、７個を超えるスレーブ端末を制御する。しかし、このことは、特に、有効なスレーブ端末がスリープ・モードにある別のスレーブ端末にデータを伝送することを望む場合に、明らかにデータ交換を遅くさせ得る。この接続において、基本的に通信は、伝送権利を分配し、用いられるべき周波数を明示するマスタ端末を排他的に介して進められる。マスタ端末は、伝送権利を個々のスレーブ端末に交替に分配する。
【００１９】
周波数ホッピングの適用のおかげで、複数のピコネットは互いに並行して共存することが可能である。この接続において、端末は、複数のピコネットにおけるメンバでもあり得る。この目的に関して、単に端末は、該端末がメンバであるようなネットワークにおける全てのマスタ端末のホッピング周波数を記憶して、それにより各々のネットワークの周波数に調整し得る。斯様な端末は、言わば、ピコネット間における橋であるので、ブリッジ端末（ブリッジ・ノード）として示される。この形式で接続される複数のピコネットは、スカッタネットを形成する。
【００２０】
Ｂｌｕｅｔｏｏｔｈ規格は、近距離における広範囲の種類の無線通信を可能にするために元々開発された。間もなくして、Ｂｌｕｅｔｏｏｔｈ規格の相互接続、すなわちいわゆるアドホック・ネットワークの作成に関する要求が生じた。例えば、Ｂｌｕｅｔｏｏｔｈ端末を有する複数のあるセミナ加入者がある部屋に居て、これら個人が互いにデータを交換することを望むとする。理想的には、各々の加入者は、「アドホック・ネットワークへの接続の設定」の種類の命令を実行し得る。しばらくすると、「アドホック・ネットワークへの接続が存在します」とのメッセージは受信され得、その後該加入者は、いかなる他の加入者ともデータを交換することが可能になる。しかし、この接続において、Ｂｌｕｅｔｏｏｔｈ仕様が、相互接続に関して何の規定も設けていなかったので、複数の加入者を有するＢｌｕｅｔｏｏｔｈ・ネットワークがいかに素早く且つ自動的に形成されるかに関しての問題が生じる。
【００２１】
本発明によると、端末は、「動的パーソナル・エリア・ネットワーク・マネージャ」（以下においてＤＰＭソフトウェアと呼ばれる）として指定されると共に実際のＢｌｕｅｔｏｏｔｈソフトウェア及び夫々のアプリケーション・ソフトウェアと相互作用するソフトウェア成分を有し、該端末は、アドホック・ネットワークを形成し制御するように備えられる。ソフトウェア成分の極めて簡素化された層モデルが、図１に示される。Ｂｌｕｅｔｏｏｔｈソフトウェア（第１ソフトウェア成分）を表わす層１の上に配置されるのは、ＤＰＭソフトウェア２（第２ソフトウェア成分）及びインターネット・プロトコルに関して備えられるソフトウェア３を含む層である。最上層４にあるのは、（以下にＤＰＭ・ＡＰＩソフトウェアとして指定される）ソフトウェア・インターフェース５を介して、ＤＰＭソフトウェアを開始、制御及び終了する、アプリケーション・ソフトウェアである。
【００２２】
アドホック・ネットワークの形成において、以下に説明されるネットワーク形成手順は、関与する端末における夫々のＤＰＭソフトウェアによって実施される。本発明に従う自動アドホック・ネットワーク形成における第１ステップは、これら夫々の環境における端末の自動検出である。ネットワーク形成の開始の前に、端末は、互いに独立に、端末の環境に関する情報項目を収集する必要がある。更に、各々の端末は、存在していないネットワークにおいて上述の照会及び照会スキャン状態を実行することによってアドホック・ネットワークを独立に形成し得る。この場合、２つの状態間のスイッチング時間は、ランダムに選択されなければならない。
【００２３】
接続を有しない全ての端末は、端末の環境において他の端末を検索する（照会段階）。別の端末が発見された場合、照会段階は停止され、（ページング段階を介して）検出された端末との接続が設定される。その結果、新しいピコネットが、自発的に作成され得る。第３端末が、形成されたばかりのピコネットの端末を検出する場合、第３端末を組み込むのに以下に説明される手順が用いられる。
【００２４】
本発明に従うと、マスタ端末は、要求を実行するために、各々の場合において、割り当てられたスレーブ端末を特定のシーケンスで選択する（照会状態）。このことは、既存のネットワークによって実行される要求の数を最小化する。要求（照会状態）はネットワーク内における通信に対し妨害する影響を有するので、検索要求に関連する妨害も、検索要求を最小化することによって最小化される。
【００２５】
更なるスレーブ端末の組み込みは、以下のステップ及び図２を用いて説明され得る。図２は、マスタ端末６及びマスタ端末６に接続された４個のスレーブ端末７〜１０を示す。全ての端末６〜１０は、接続状態にある。スレーブ端末７〜１０の１つが照会状態に変化するのは、マスタ端末６からの命令に応答する場合のみである。端末１１は、（端末６〜１０を有する）ピコネットに近づき、ピコネットに組み込まれることになる。第１ステップにおいて、マスタ端末６は、的確に該ピコネットのスレーブ端末の１つに周期的に照会状態に変化するように、すなわち検索要求を実行するように命令する。これは、例えば、図２においてスレーブ端末７にあたる。これまでにピコネットに組み込まれていない端末１１は、ピコネットに近づき、照会及び照会スキャン状態の間を交替する。これにより、端末１１は、別の端末が検索要求を発信しているかを確認する。端末１１が照会スキャン状態にあるスレーブ端末７から要求を受信した後、端末１１は、端末１１のアドレス（ＦＨＳパケット）を含むパケットで応答し、ピコネットに接続するために、ページスキャン状態に変換する。ＦＨＳパケットを受信した後、スレーブ端末７は、端末１１を発見している。その後スレーブ端末７は、要求(照会状態)を停止して、端末１１から受信されたＦＨＳパケットを転送することによって、マスタ端末６に新しい端末１１について知らせる。こうしてマスタ端末６は、端末１１をネットワークに組み込むのに必要な全ての情報項目を有することになる。その後、マスタ端末６は、ページング状態に変換し、新しい端末１１をコールし(ページし)、新しい端末１１は、受け入れられ結果的に既存のピコネットの新しいメンバになる。その後マスタ端末６は、次のスレーブ端末（例えばスレーブ端末８）に、照会を実行するように命令する。
【００２６】
マスタ端末は、スレーブ端末に特定のシーケンスで照会を実行するように命令する。例えば、前記特定のシーケンスは、全てのスレーブ端末が、各々の場合において等しい所定の時間の後に順々に照会段階に変換するようになり得る。
【００２７】
上述の過程を制御する、ＤＰＭソフトウェアの機能は、図３に示される状態図を参照して説明され得る。ＤＰＭソフトウェアは、図３において長方形１２〜１９によって示される総計８つの状態を有する。長方形１２〜１５によって示される状態は、ネットワークにまだ接続されてない端末が接続を設定する状況に関する。ＮＳ照会スキャン状態（長方形１２）及びＮＳ照会状態（長方形１３）において、端末は、接続を設定しておらず、ＮＳページスキャン状態（長方形１４）及びＮＳページ状態（長方形１５）において、端末は今にも接続を設定しかけているところである。接続済スレーブ状態（長方形１６）及び接続済マスタ状態（長方形１７）において、端末は、接続を設定してあり、ピコネットのメンバである。ＮＥ照会状態（長方形１８）及びＮＥページング状態（長方形１９）は、既存のネットワークが延長される場合に関する。
【００２８】
非接続状態において、端末は、特定時間の満了の後に、矢印ＴＯ１及びＴＯ２によって示されるように、ＮＳ照会スキャン状態（長方形１２）及びＮＳ照会状態（長方形１３）の間で周期的に交替する。
【００２９】
ＮＳ照会スキャン状態（長方形１２）の端末が検索要求（照会）に応答して別の端末に応答した場合、ＤＰＭソフトウェアは、端末が該他の端末のコール要求（ページ）を待つＮＳページスキャン状態（長方形１４）に（矢印ＩＡを介して）変換する。端末がコール要求に応答する場合、接続は設定され、ＤＰＭソフトウェアは（矢印ＰＡを介して）接続済スレーブ状態（長方形１６）に変換する。この時、端末は、ネットワークにおいてスレーブ端末である。別の場合において、ＤＰＭソフトウェアは、コール要求がない場合所定時間の満了（タイムアウト）の後に、ＮＳ照会スキャン状態（長方形１２）に復帰する（矢印ＴＯ３）。
【００３０】
ＮＳ照会状態（長方形１３）の端末が別の端末から検索要求に対する応答を受信した場合、ＤＰＭソフトウェアは、発見されたばかりの他の端末がコール（ページ）されるＮＳページング状態（長方形１５）に（矢印ＩＲ１を介し）変換する。他の端末がコール要求に応答すると直ちに、接続は設定され、ＤＰＭソフトウェアは（矢印ＰＲ１を介して）接続済マスタ状態（長方形１７）に変換する。この時、端末は、新たに作成されたピコネットのマスタ端末である。別の場合において、接続の設定が不成功である場合、ＤＰＭソフトウェアは、ＮＳ照会状態（長方形１３）に復帰する（矢印ＣＦ）。
【００３１】
ピコネットが存在する場合、マスタ端末は、ピコネットのスレーブ端末の１つに検索要求（照会）を提出するように命令する。この場合、マスタ端末から選択されたスレーブ端末は、接続済スレーブ状態（長方形１６）からＮＥ照会状態（長方形１８）に（矢印ＭＲを介して）変化する。所定時間の満了（タイムアウト）の後、端末は、再び接続済スレーブ状態（長方形１８）に復帰する（矢印ＴＯ４）。
【００３２】
ＮＥ照会状態（長方形１８）のスレーブ端末が新たな端末を発見する場合、該スレーブ端末は、前記新たな端末のアドレスをマスタ端末に通信して、接続済スレーブ状態（長方形１６）に復帰する（矢印ＩＲ２）。その後マスタ端末は、接続済マスタ状態（長方形１７）から、ＮＥページング状態（長方形１９）に変化し（矢印ＳＲを介し）、前記ＮＥページング状態（長方形１９）において、マスタ端末は、発見された新たな端末をコール（ページ）し、その後該新たな端末を既存のピコネットへ受け入れる。最終的に、マスタ端末は、再び接続済マスタ状態（長方形１７）に復帰し（矢印ＰＲ２）、次のスレーブ端末に検索要求（照会）を提出するように命令する。
【００３３】
この接続において、新たに加えられた端末は、ＮＳ照会スキャン状態（長方形１２）及びＮＳページスキャン状態（長方形１４）を経て、その後接続済スレーブ状態（長方形１６）になる。
【００３４】
既存のネットワークのメンバは、照会スキャン状態に変化することはない、すなわちネットワークの端末は、検索要求に応答することは決してなく、したがって発見されることも可能ではないことを述べられなければならない。このことは、既にネットワークに属する端末のメンバが再び発見されることを防ぐ。
【００３５】
ＤＰＭソフトウェアがアプリケーション・ソフトウェアから接続をクリア（消去）する命令を受信する場合、ＤＰＭソフトウェアは、接続がクリアにされるように命令をして、ＤＰＭソフトウェアは、ＮＳ照会スキャン状態（矢印ＤＩ１）又はＮＳ照会状態（矢印ＤＩ２）に変換する。
【００３６】
ネットワーク形成をより最適化するために、アプリケーションは、ＤＰＭ−ＡＰＩソフトウェアを用いて、所望でない端末のアドレスをいわゆる特別リスト（ブラックリスト）に載せることが可能である。新たな端末が発見される場合はいつでも、マスタ端末は、初めに新たな端末が前記特別リストに含まれるかを確認する。斯様である場合、特別リストに含まれる端末は無視され、すなわち前記端末への接続を設定する試みはされない。別の場合において、接続は上述のように設定される。
【００３７】
例えば、特別リストは、特定時間より前にネットワークに組み込まれ、もはや重要ではない端末を挙げる。更に、特定のサービスを提供しない端末は、前記特別リストに記憶され得る。例えば、プリンタを求めてネットワークにおいて検索される場合、このプリンタ・サービスを有さない端末の全てが前記特別リストに記憶される。
【００３８】
本発明に従う手順は、該手順を用いると接続がすばやく設定され得るので、特に、端末が速く動くネットワークに関して適切である。このことは、既存のピコネットにおいて、スレーブ端末が常に照会状態に変化し、したがって、新たな端末に関する監視が継続的に活発に維持される場合において達成される。したがって、新たな端末は、可能な限りすばやく発見され、既存のネットワークに加えられる。
【図面の簡単な説明】
【００３９】
【図１】図１は、端末に含まれるソフトウェア成分の極めて簡素化した層モデルを示す。
【図２】図２は、様々な組み込まれた端末及び組み込まれるべき更なる端末を有するネットワークを示す。
【図３】図３は、端末の本発明に従うソフトウェアを説明する状態図を示す。
【図１】
2006513623.tif 000003
【図２】
2006513623.tif 000004
【図３】
2006513623.tif 000005
【国際調査報告】
2006513623.tif 000006
2006513623.tif 000007
2006513623.tif 000008